(57)【要約】【課題】１台の拡声器を用いても近づく人に応じた適正な拡声放送音量で拡声放送する拡声システムを提供することである。【解決手段】拡声システムは、電気信号により駆動されて音声を発する拡声器と、光軸が同一方向に向き、上記拡声器の拡声放送範囲に入った人を撮影する２つのカメラと、上記２つのカメラで撮影した画像から上記拡声器と人との距離に応じた制御信号を出力する画像解析装置と、上記制御信号に応じて電気信号の減衰量を調整する音量調整装置と、を備える。【選択図】図１
2007318317.tif 000002
【特許請求の範囲】
【請求項１】
電気信号により駆動されて音声を発する拡声器と、
光軸が同一方向に向き、上記拡声器の拡声放送範囲に入った人を撮影する２つのカメラと、
上記２つのカメラで撮影した画像から上記拡声器と人との距離に応じた制御信号を出力する画像解析装置と、
上記制御信号に応じて電気信号の減衰量を調整する音量調整装置と、
を備える拡声システム。
【請求項２】
上記画像解析装置は、上記拡声器の拡声放送範囲に入った人が上記拡声器と連動するマイクロフォンを持参しているとき、上記拡声器と人との距離に反比例した音量になるように上記音量調整装置を制御することを特徴とする請求項１に記載の拡声システム。
【請求項３】
上記画像解析装置は、上記２つのカメラで撮影した画像から不審者の侵入を検知して侵入警告指令を発し、
上記侵入警告指令に基づき侵入警告放送を上記拡声器へ出力する音声出力装置を備えることを特徴とする請求項１に記載の拡声システム。
【発明の詳細な説明】
【技術分野】
【０００１】
この発明は、人の到来を検知して拡声器から音声を発する拡声システムに関する。
【背景技術】
【０００２】
従来、人の到来を検知して音声で案内する拡声システムは、音声増幅装置からの電気信号を音声信号に変換して拡声放送する拡声器と、拡声器へ近づく人を検知する人体センサーと、人体センサーからの人を検知した信号を受信し制御信号を送信する制御装置と、制御信号に基づいて音声増幅装置からの電気信号を減衰する音量調整装置を備える。そして、人体センサーが近づく人を検知したとき、近づく人に応じた適正な拡声放送音量で放送することができる（例えば、特許文献１参照）。
【０００３】
【特許文献１】特開２０００−２６８２７５号公報
【発明の開示】
【発明が解決しようとする課題】
【０００４】
しかし、人の検知に人体センサーを使うので、人の検知範囲が狭いという問題がある。
また、人の有無による音量調整しかできないので、広範囲の拡声放送範囲を出力の大きな拡声器１台で対応するとき、人の検知のできない範囲が広くなってしまうという問題がある。
【０００５】
この発明の目的は、１台の拡声器を用いても近づく人に応じた適正な拡声放送音量で拡声放送する拡声システムを提供することである。
【課題を解決するための手段】
【０００６】
この発明に係わる拡声システムは、電気信号により駆動されて音声を発する拡声器と、光軸が同一方向に向き、上記拡声器の拡声放送範囲に入った人を撮影する２つのカメラと、上記２つのカメラで撮影した画像から上記拡声器と人との距離に応じた制御信号を出力する画像解析装置と、上記制御信号に応じて電気信号の減衰量を調整する音量調整装置と、を備える。
【発明の効果】
【０００７】
この発明に係わる拡声システムの効果は、拡声器の拡声放送範囲に入った人の位置が求められるように光軸が同一方向に向いた２つのカメラを備え、２つのカメラからの画像を解析して人が拡声器に対して近づいているか遠ざかっているかにより、電気信号の減衰量を調整するので、人は適切な音量の音声を聞くことができる。
【発明を実施するための最良の形態】
【０００８】
実施の形態１．
図１は、この発明の実施の形態１に係わる拡声システムの構成図である。図２は、実施の形態１に係わる画像解析装置の機能ブロック図である。
この発明の実施の形態１に係わる拡声システム１は、図１に示すように、入力される電気信号に基づいて音声を発する拡声器２、電気信号を増幅する音声増幅装置３、拡声放送範囲に入った人を撮影するカメラ４ａ、４ｂ、カメラ４ａ、４ｂで撮影された画像から入の移動距離に応じた制御信号を送信する画像解析装置５、画像解析装置５からの制御信号に応じて電気信号を減衰する音量調整装置６、を備える。
【０００９】
拡声器２が発する音声は、拡声器２を頂点とする円錐状の拡声放送範囲に達する。
２つのカメラ４ａ、４ｂは、拡声放送範囲の円錐が横切る地面の近く、すなわち地面から人の身長位の高さまでの撮影領域の様子を撮影できるように設置されている。また、カメラ４ａ、４ｂは、所定の距離離され、カメラ４ａ、４ｂの光軸が略平行になるように設置されている。
カメラ４ａ、４ｂは、所定の周期で周期的に同時に撮影領域を撮影して画像を画像解析装置５に送信する。
【００１０】
画像解析装置５は、図２に示すように、周期毎に求められた拡声器２と人の距離が記憶される記憶手段１１、カメラ４ａ、４ｂが撮影した２つの画像から特徴を用いて人を抽出し、撮影領域上に設定された座標系の人の位置を算出し、その位置と拡声器２との距離を求めて記憶手段１１に記憶する距離算出手段１２、直近の周期で撮影された画像から求められた人の位置と拡声器２との距離を記憶手段１１から読み出し、１つの周期の間に人が移動した移動距離を求め、距離が小さくなったとき、音量低減指令を、距離が大きくなったとき、音量増加指令を音量調整装置６に送信する音量設定手段１３を有する。
【００１１】
音量調整装置６は、画像解析装置５からの音量低減指令または音量増加指令を受信したとき、音声増幅装置３から送信されてくる電気信号の減衰量を調整して拡声器２に送信する。
拡声器２は、音量調整装置６で減衰された電気信号により駆動され、音声を発する。
【００１２】
このような実施の形態１に係わる拡声システム１は、拡声器２の拡声放送範囲に入った人の位置が求められるように光軸が同一方向に向いた２つのカメラ４ａ、４ｂを備え、２つのカメラ４ａ、４ｂからの画像を解析して人が拡声器２に対して近づいているか遠ざかっているかにより、電気信号の減衰量を調整するので、人は適切な音量の音声を聞くことができる。
【００１３】
なお、実施の形態１に係わる拡声システム１について、拡声器２を屋外に設置した例で説明したが、室内などに設置しても同様な効果が得られる。
また、拡声器２を１つ設置するとして説明したが、複数の拡声器２を設置してもよい。このときには、各拡声器２の拡声放送範囲は、２つのカメラ４ａ、４ｂでそれぞれ撮影するようにすればよい。
【００１４】
実施の形態２．
図３は、この発明の実施の形態２に係わる拡声システムの構成図である。
この発明の実施の形態２に係わる拡声システム１Ｂは、実施の形態１に係わる拡声システム１に音声増幅装置３に接続されるマイクロフォン７が追加され、それに伴い画像解析装置５Ｂが異なっており、それ以外は同様であるので、同様な部分に同じ符号を付記して説明は省略する。
この実施の形態２に係わる画像解析装置５Ｂは、マイクロフォン７を所持している人が拡声放送領域に入ったとき、その人の位置を算出し、拡声器２との距離を求める。そして、人が近づいてきているときには、拡声器２の音量を下げるように、音量低減指令を、人が遠ざかりつつあるときには、拡声器２の音量を上げるように音量増加指令を音量調整装置６に送信する。
【００１５】
このような実施の形態２に係わる拡声システム１Ｂは、実施の形態１と同様に人は適切な音量の音声を聞くことができるとともに、ハウリングを抑制することができる。
【００１６】
実施の形態３．
図４は、この発明の実施の形態３に係わる拡声システムの構成図である。
この発明の実施の形態３に係わる拡声システム１Ｃは、実施の形態１に係わる拡声システム１に音声出力装置８が追加され、それに伴い画像解析装置５Ｃが異なっており、それ以外は同様であるので、同様な部分に同じ符号を付記して説明は省略する。
この実施の形態３に係わる画像解析装置５Ｃは、拡声放送領域に入った人を予め登録されている人と不審者とに区別し、登録されている人の場合、実施の形態１と同様に、音量低減指令または音量増加指令を音量調整装置６に送信する。
【００１７】
一方、不審者の場合、侵入警告指令を音声出力装置８に送信するとともに拡声器２との距離が近くなっているとき音量増加指令を音量調整装置６に送信する。
音声出力装置８は、侵入警告指令を受信すると、音量調整装置６の音声増幅装置３との接続を切り換えて音量調整装置６を内蔵する警告音源９に接続する。このように警告音源９が音量調整装置６に接続されると、拡声器２から侵入警告放送が行われる。
【００１８】
このような実施の形態３に係わる拡声システム１Ｃは、実施の形態１と同様に人は適切な音量の音声を聞くことができるとともに、不審者が拡声放送領域内に侵入したとき不審者に対して威嚇することができる。
また、拡声器２に近づけば近づくほど不審者に対して大きな音量の警告放送を行うので、より強く威嚇することができる。
【図面の簡単な説明】
【００１９】
【図１】この発明の実施の形態１に係わる拡声システムの構成図である。
【図２】実施の形態１に係わる画像解析装置の機能ブロック図である。
【図３】この発明の実施の形態２に係わる拡声システムの構成図である。
【図４】この発明の実施の形態３に係わる拡声システムの構成図である。
【符号の説明】
【００２０】
１、１Ｂ、１Ｃ  拡声システム、２  拡声器、３  音声増幅装置、４ａ、４ｂ  カメラ、５、５Ｂ、５Ｃ  画像解析装置、６  音量調整装置、７  マイクロフォン、８  音声出力装置、９  警告音源、１１  記憶手段、１２  距離算出手段、１３  音量設定手段。
【図１】
2007318317.tif 000003
【図２】
2007318317.tif 000004
【図３】
2007318317.tif 000005
【図４】
2007318317.tif 000006